(57)【要約】【課題】保安台帳システムを提供することに依って、小規模な販売業者のペーパーレス化を図る。【解決手段】ユーザ端末を認証する認証処理部と、得意先の基本情報と責任者情報と消費形態とを含む得意先保安台帳を作成する保安台帳作成部と、得意先保安台帳を保持する保安情報データベースと、得意先保安台帳を保安情報データベースに登録する得意先保安台帳管理部と、ユーザ端末に表示情報を送信する表示制御部と、から構成され、保安台帳作成部は、第１の得意先保安台帳を作成し、表示制御部は、作成した第１の得意先保安台帳の画面情報をユーザ端末に送信する保安台帳管理装置により、達成できる。【選択図】図２
2015130101.tif 000002
【特許請求の範囲】
【請求項１】
ユーザ端末を認証する認証処理部と、得意先の基本情報と責任者情報と消費形態とを含む得意先保安台帳を作成する保安台帳作成部と、前記得意先保安台帳を保持する保安情報データベースと、前記得意先保安台帳を前記保安情報データベースに登録する得意先保安台帳管理部と、前記ユーザ端末に表示情報を送信する表示制御部と、から構成され、
前記保安台帳作成部は、第１の得意先保安台帳を作成し、前記表示制御部は、作成された前記第１の得意先保安台帳の画面情報を前記ユーザ端末に送信する保安台帳管理装置。
【請求項２】
請求項１に記載の保安台帳管理装置であって、
さらに、安全データシートの配布を管理する安全データシート配布管理部を備え、
前記安全データシート配布管理部は、定期的に前記安全データシートの前記得意先のユーザ端末へ配布を督促することを特徴とする保安台帳管理装置。
【請求項３】
請求項１または請求項２に記載の保安台帳管理装置であって、
さらに、受発注入力の正当性を確認する受発注入力エラーチェック部を備え、
前記受発注入力エラーチェック部は、受発注入力と前記得意先保安台帳との間に齟齬があるときアラーム送出することを特徴とする保安台帳管理装置。
【発明の詳細な説明】
【技術分野】
【０００１】
本発明は、保安台帳管理装置に係り、特に法律で定められた通知事項等を管理する保安台帳管理装置に関する。
【背景技術】
【０００２】
ガス販売業者およびガス取り扱い業者は、高圧ガス保安法に定められた保安台帳によるガスの管理を実施している。大手ガス販売業者の中には、自分自身で高圧ガス保安台帳システムを構築し、ペーパーレス台帳化している販売業者も存在する。しかし、小規模なガス販売業者は、依然として紙台帳を利用している。
【０００３】
特許文献１に開示された技術は、使用環境などによって適宜保安機能を設定することを可能にし、保安機能を向上させることを目的としている。特許文献１に開示されたガスメータおよびガス保安システムに於いて、機能選択部は、通信回線を介して外部から受信した保安機能情報を、ガス使用に関する保安機能として、設定する。監視部は、設定された保安機能に従って、保安機能の作動条件を満足する場合に、ガス使用時の不具合を検知して保安信号を制御部に出力する。制御部は、監視部からの保安信号に基づき、設定された設定機能の作動条件を満足する事象が発生した場合にガスの供給を遮断する。
【先行技術文献】
【特許文献】
【０００４】
【特許文献１】特開２００９−２１６４０７号公報
【発明の概要】
【発明が解決しようとする課題】
【０００５】
しかし、特許文献１のガス保安システムは、ガスの供給を遮断するのみで、高圧ガス保安法に定められた事項の順守について、何ら考慮していない。
また、小規模なガス販売業者は、独自に高圧ガス保安法に定められた事項の順守に係るシステム（保安台帳システム）を管理・運用を実施するのは難しい。
【０００６】
本発明は、そのような状況を鑑みてなされたものであり、その目的は、小規模な販売業者に対して、保安台帳システムを提供することに依って、小規模な販売業者のペーパーレス化を図ることにある。
【課題を解決するための手段】
【０００７】
上述した課題は、ユーザ端末を認証する認証処理部と、得意先の基本情報と責任者情報と消費形態とを含む得意先保安台帳を作成する保安台帳作成部と、得意先保安台帳を保持する保安情報データベースと、得意先保安台帳を保安情報データベースに登録する得意先保安台帳管理部と、ユーザ端末に表示情報を送信する表示制御部と、から構成され、保安台帳作成部は、第１の得意先保安台帳を作成し、表示制御部は、作成した第１の得意先保安台帳の画面情報をユーザ端末に送信する保安台帳管理装置により、達成できる。
【発明の効果】
【０００８】
本発明によれば、紙の保安台帳が不要になる保安台帳システムを提供できる。
【図面の簡単な説明】
【０００９】
【図１】保安台帳システムのブロック図である。
【図２】保安管理装置のブロック図である。
【図３】保安台帳システムの画面を説明する図である。
【図４】得意先保安台帳の登録画面である。
【図５】周知・保安記録表示画面である。
【図６】ガスメーカから配布されたＭＳＤＳ登録画面である。
【図７】ＭＳＤＳ配布先管理画面である。
【図８】定期周知管理画面である。
【発明を実施するための形態】
【００１０】
以下、本発明の実施の形態について、詳細に説明する。
図１を参照して、保安台帳システムの構成を説明する。図１において、保安台帳システム５００は、保安管理システム１００と、ユーザ端末２００と、ＷＡＮ（Wide Area Network）３００とから構成されている。ＷＡＮ３００は、保安管理システム１００とｎ台のユーザ端末２００とを接続する。ＷＡＮ３００は、インターネットである。
【００１１】
保安管理システム１００は、複数の小規模な販売業者に対して、保安台帳システムを提供する。ユーザ端末２００は、小規模な販売業者の端末である。ユーザ端末２００は、保安管理システム１００に命令を送信する。保安管理システム１００は、ユーザ端末２００に命令を織り込んだ画面データを送信する。ユーザ端末２００は、画面を表示する。
【００１２】
図２を参照して、保安管理装置の構成を説明する。図２において、保安管理装置１１０は、ネットワークインタフェースカード（ＮＩＣ）１０５と、認証処理部１０９と、保安情報ＤＢ１１１と、表示制御部１１２と、得意先保安台帳管理部１１３と、得意先保安台帳検索部１１４と、営業所保安台帳登録部１１５と、受発注入力エラーチェック部１１６と、配布日チェック処理部１１７と、貯蔵計画登録部１１８と、保安台帳作成部１１９とから構成されている。
【００１３】
ＮＩＣ１０５は、保安管理装置１１０をＷＡＮ３００に接続する。認証処理部１０９は、ユーザ端末２００のログインを認証する。保安情報ＤＢ１１１は、得意先保安台帳と、営業所保安台帳とを保持する。表示制御部１１２は、ユーザ端末２００の表示画面を生成し、送信する。得意先保安台帳管理部１１３は、得意先保安台帳を登録する。得意先保安台帳管理部１１３は、また得意先保安台帳を管理する。得意先保安台帳検索部１１４は、得意先保安台帳を検索する。営業所保安台帳登録部１１５は、営業所保安台帳を登録する。営業所保安台帳登録部１１５は、営業所保安台帳を管理する。受発注入力エラーチェック部１１６は、受発注入力について得意先保安台帳との整合性をチェックする。受発注入力エラーチェック部１１６は、両者に齟齬があるとき、アラーム送出する。配布日チェック処理部１１７は、ＭＳＤＳ（Material Safety Data Sheet：化学物質安全性データシート）の定期的な配布を管理する。配布日チェック処理部１１７は、定期的にＭＳＤＳの得意先への配布を督促する。貯蔵計画登録部１１８は、高圧ガスの貯蔵計画を登録する。保安台帳作成部１１９は、保安台帳を作成する。
【００１４】
図３を参照して、保安管理システムの表示画面を説明する。図３において、画面名称テーブル１４０は、項番と、画面名称１４１とを含む。「ログイン」は、保安システムを利用開始時に利用者がログインする機能である。「ログイン」は、認証処理部１０９が動作する画面である。「得意先保安台帳登録」は、得意先用保安台帳を構成する項目の登録修正削除を行う機能である。なお、一時保存も可能である。基本情報には、企業コード、住所、担当、許認可区分等の基本情報を登録する。責任者情報には、得意先のガス取扱責任者の情報を登録する。消費形態には、該得意先へ販売するガス種別に引渡方法、消費目的を登録する。周知・保安事項記録には、周知記録、点検記録等を登録する。備考には、備考事項を登録する。承認には、営業所が入力した得意先保安台帳を所属長が承認後、安全課にて承認する機能を有する。承認には、権限者にメールにて連絡する。「得意先保安台帳登録」は、得意先保安台帳管理部１１３の動作画面である。
【００１５】
「得意先保安台帳検索」は、登録されている得意先保安台帳を様々な検索条件を指定し一覧表示する機能である。「得意先保安台帳検索」は、各台帳をＣＳＶファイル化して、ユーザ端末へダウンロードする。「得意先保安台帳検索」は、得意先保安台帳検索部１１４の動作画面である。
【００１６】
「営業所保安台帳登録」は、営業所用保安台帳を構成する項目の登録修正削除を行う機能である。なお、一時保存も可能である。基本情報には、部署コード、部署情報、許可日、許可番号敷地情報等ガス販売する事務所情報を登録する。責任者情報には、得意先のガス取扱責任者の情報を登録する。販売許可には、販売認可を得たガス種およびガス置場情報、配送方法を登録する。ＭＳＤＳ管理には、販売ガスの組成別にＭＳＤＳ配布日・管理番号・配布元メーカを登録・管理する。周知・保安事項記録には、周知記録、点検記録等を登録する。貯蔵施設・方法には、営業所のガス貯蔵施設を登録する。「営業所保安台帳登録」は、営業所保安台帳登録部１１５の動作画面である。
【００１７】
「貯蔵計画書登録」は、営業所販売・貯蔵計画用保安台帳を構成する項目の登録修正削除を行う機能である。なお、一時保存も可能である。基本情報には、商品コード、設備の種類、貯蔵量、単位等ガスの貯蔵に関する基本情報を登録する。貯蔵数量には、貯蔵するガスの設備情報を登録する。設備には、ガス貯蔵設備のその他情報（ガス表示、防波堤、緊急追新装置等）を登録する。「貯蔵計画書登録」は、貯蔵計画登録部１１８の動作画面である。
【００１８】
「保安台帳雛型作成」は、企業マスクメンテナンスにて新規登録した場合、得意先を保安台帳へ枝番をとって、コピーする。コピーする項目は、「企業名称」「電話・ＦＡＸ番号」「住所」「業種コード」とする。企業マスクの更新の場合は連携はしない。「保安台帳雛型作成」は、保安台帳作成部１１９の動作画面である。
【００１９】
「受発注入力エラーチェック」は、受発注入力において、入力した商品コードが営業所保安台帳に登録されていなければ、エラーとする。また。営業所保安台帳にあっても得意先保安台帳に無ければ警告メッセージを表示させ、得意先保安台帳への登録を促す。「受発注入力エラーチェック」は、受発注入力エラーチェック部１１６の動作画面である。
「ＭＳＤＳ配布チェック」は、ＭＳＤＳの定期的な配布を促す。「ＭＳＤＳ配布チェック」は、配布日チェック処理部１１７の動作画面である。
【００２０】
図４を参照して、得意先保安台帳の登録画面を説明する。図４において、得意先保安台帳登録画面１５０は、得意先コード１５１と、得意先枝番１５２と、承認情報１５３と、を含んで構成されている。
【００２１】
得意先コード１５１は、文字通り得意先コードと、得意先検索ボタンと、得意先名称（（株）ＡＢＣと、枝番追加ボタンと、削除ボタンと、確定ボタンと、Ｅｘｃｅｌ（登録商標））出力ボタンとを含む。得意先枝番１５２は、得意先が使用する枝番を記録する。承認情報１５３は、承認済みであることを表示する。承認情報１５３は、差戻しボタンを表示する。なお、承認済みではないとき、その状態に基づいて、申請ボタンまたは承認ボタンを表示し、差戻しボタンは表示しない。
【００２２】
図５を参照して、周知・保安記録表示画面を説明する。図５において、周知・保安記録表示画面１６０は、実施日付１６１と、実施内容１６２と、対象区分１６３と、対象者（受取者）１６４と、更新１６５と、実施者１６６と、ガス種区分１６７と、添付資料１６８と、ＭＳＤＳ選択１６９と、を含んで構成されている。
【００２３】
実施日付１６１は、周知・保安記録の実施日である。実施内容１６２は、周知・保安記録の内容（ＭＳＤＳ配布）である。対象区分１６３は、周知・保安記録の区分である。対象者（受取者）１６４は、配布先である。更新１６５は、編集ボタンと、更新ボタンを表示する。実施者１６６は、配布者（テストユーザ）である。ガス種区分１６７は、文字通りガス種を選択する。添付資料１６８は、添付資料があったとき、ファイル名を表示する。ＭＳＤＳ選択１６９は、対象区分１６３がＭＳＤＳ配布なので表示されたボタンである。
【００２４】
図６を参照して、ガスメーカから配布されたＭＳＤＳ登録画面を説明する。図６において、ＭＳＤＳ登録画面１７０は、消費形態１７１と、商品１７２と、発行先１７３と、配布ＭＳＤＳ１７４と、最新ＭＳＤＳ発行日１７５と、を含んで構成されている。
【００２５】
消費形態１７１は、ＭＳＤＳが設定済みの場合、「設定あり」を表示する。一方、ＭＳＤＳが未設定の場合、消費形態１７１は、｛ＭＳＤＳ未設定」を表示する。商品１７２は、消費形態に登録されているガスおよび周知・保安記録でＭＳＤＳ配布を実施したガスを表示する。発行先１７３は、配布したＭＳＤＳの発行先である。配布ＭＳＤＳ１７４は、配布済みＭＳＤＳのＭＳＤＳ発行日である。最新ＭＳＤＳ発行日１７５は、営業所保安台帳のＭＳＤＳ発行日である。
【００２６】
図７を参照して、ＭＳＤＳ配布先管理画面を説明する。図７において、ＭＳＤＳ配布先管理画面１８０は、商品１８１と、発行元１８２と、ＭＳＤＳ発行日１８３と、を含んで構成されている。
【００２７】
商品１８１は、商品名である。発行元１８２は、対象ガスの製造メーカ（ＭＳＤＳの発行メーカ）である。ＭＳＤＳ発行日１８３は、ＭＳＤＳの発行日である。
【００２８】
図８を参照して、定期周知管理画面を説明する。図８において、定期周知管理画面１９０は、部署コード１９１と、取引先名称１９２と、住所１９３と、電話番号１９４と、消費／消費＋転売区分１９５と、第一種置場距離１９６と、地域区分１９７と、第二種置場距離１９８と、周知記録１９９と、を含んで構成されている。
【００２９】
部署コード１９１は、営業所コードと営業所名である。取引先名称１９２は、納付先の名称である。住所１９３は、納付先の所番地である。電話番号１９４は、納付先の電話番号である。消費／消費＋転売区分１９５は、納付先の区分であり、プルダウンから選択する。第一種置場距離１９６は、学校、病院等の第一種保安物件との距離である。地域区分１９７は、ガス保管場所の地域区分であり、プルダウンから選択する。第二種置場距離１９８は、一般住宅等の第二種保安物件との距離である。周知記録１９９は、要／不要のラジオボタンを選択する。
【符号の説明】
【００３０】
１００…保安管理システム、１０５…ネットワークインタフェースカード（ＮＩＣ）、１０９…認証処理部、１１０…保安管理装置、１１１…保安情報ＤＢ、１１２…表示制御部、１１３…得意先保安台帳管理部、１１４…得意先保安台帳検索部、１１５…営業所保安台帳登録部、１１６…受発注入力エラーチェック部、１１７…配布日チェック処理部、１１８…貯蔵計画登録部、１１９…保安台帳作成部、１２０…保安情報参照部、１３０…保安情報登録部、２００…ユーザ端末、３００…ＷＡＮ、５００…保安台帳システム。
【図１】
2015130101.tif 000003
【図２】
2015130101.tif 000004
【図３】
2015130101.tif 000005
【図４】
2015130101.tif 000006
【図５】
2015130101.tif 000007
【図６】
2015130101.tif 000008
【図７】
2015130101.tif 000009
【図８】
2015130101.tif 000010